(57)【要約】【課題】諸収差が良好に補正された高い光学性能を持つレンズ系、及びこれを有する光学装置を提供すること。【解決手段】光軸に沿って物体側から順に、第１レンズ群Ｇ１と正屈折力の第２レンズ群Ｇ２とを有するレンズ系において、第１レンズ群Ｇ１は、正屈折力の第１１サブレンズ群ＧＳ１１と負屈折力の第１２サブレンズ群ＧＳ１２とから構成され、第１２サブレンズ群ＧＳ１２は、物体側に凸面を向けたメニスカス形状のレンズを有し、レンズ系は所定の条件を満足する少なくとも１枚の負屈折力のレンズＬＮを有し、所定の条件を満足するレンズ系。【選択図】図１
2010014897.tif 000002
【特許請求の範囲】
【請求項１】
光軸に沿って物体側から順に、第１レンズ群と正屈折力の第２レンズ群とを有するレンズ系において、
前記第１レンズ群は、正屈折力のサブレンズ群と負屈折力のサブレンズ群とから構成され、
前記負屈折力のサブレンズ群は、物体側に凸面を向けたメニスカス形状のレンズを有し、
前記レンズ系は、以下の条件を満足する少なくとも１枚の負屈折力のレンズを有し、
以下の条件を満足することを特徴とするレンズ系。
ｎＮｈ  ＞  １．８２０
−０．４００  ＜  ｆ／ｆ１  ＜  ０．５００
但し、ｎＮｈは前記負屈折力のレンズのｄ線（波長５８７．６ｎｍ）における屈折率、ｆ１は前記第１レンズ群の焦点距離、ｆは前記レンズ系全系の焦点距離である。
【請求項２】
前記第１レンズ群は、光軸に沿って物体側から順に、前記正屈折力のサブレンズ群と前記負屈折力のサブレンズ群とから構成されていることを特徴とする請求項１に記載のレンズ系。
【請求項３】
前記第１レンズ群と前記第２レンズ群との間に開口絞りを有することを特徴とする請求項１又は２に記載のレンズ系。
【請求項４】
前記正屈折力のサブレンズ群は最も物体側に正屈折力のレンズ成分を有し、該レンズ成分は、物体側の面の曲率半径の絶対値が像側の面の曲率半径の絶対値よりも小さいことを特徴とする請求項１から３のいずれか１項に記載のレンズ系。
【請求項５】
前記正屈折力のサブレンズ群は、正屈折力のレンズ成分のみで構成されることを特徴とする請求項１から４のいずれか１項に記載のレンズ系。
【請求項６】
前記負屈折力のレンズのｄ線のアッベ数をνｄＮとするとき、以下の条件を満足することを特徴とする請求項１から５のいずれか１項に記載のレンズ系。
１２．０  ＜  νｄＮ  ＜  ２４．０
【請求項７】
前記レンズ系を構成するレンズのうち、最もｄ線の屈折率の高いレンズのｄ線（波長５８７．６ｎｍ）における屈折率をｎｄｈとするとき、以下の条件を満足することを特徴とする請求項１から６のいずれか１項に記載のレンズ系。
ｎｄｈ  ＞  １．９１０
【請求項８】
前記負屈折力のレンズはメニスカス形状であることを特徴とする請求項１から７のいずれか１項に記載のレンズ系。
【請求項９】
前記負屈折力のレンズは前記第２レンズ群において最も物体側に配置され、該負屈折力のレンズの物体側の面は物体側に凹面を向けた形状であることを特徴とする請求項１から８のいずれか１項に記載のレンズ系。
【請求項１０】
前記負屈折力のレンズは前記第１レンズ群において最も像側に配置され、該負屈折力のレンズの像側の面は像側に凹面を向けた形状であることを特徴とする請求項１から９のいずれか１項に記載のレンズ系。
【請求項１１】
前記第２レンズ群は、物体側の面が物体側に凹面を向けた少なくとも１枚の負屈折力のレンズを有し、該物体側の面が物体側に凹面を向けた少なくとも１枚の負屈折力のレンズの物体側の面の曲率半径をｒ２Ｎａとするとき、以下の条件を満足することを特徴とする請求項１から１０のいずれか１項に記載のレンズ系。
０．３００  ＜  ｜ｒ２Ｎａ｜／ｆ  ＜  ０．６００
【請求項１２】
前記物体側の面が物体側に凹面を向けた少なくとも１枚の負屈折力のレンズは、前記第２レンズ群において最も物体側に配置されることを特徴とする請求項１１に記載のレンズ系。
【請求項１３】
前記第１レンズ群の最も像側のレンズ面の曲率半径をｒ１ｂ、前記第２レンズ群の最も物体側のレンズ面の曲率半径をｒ２ａとするとき、以下の条件を満足することを特徴とする請求項１から１２のいずれか１項に記載のレンズ系。
０．８００  ＜  ｜ｒ２ａ｜／ｒ１ｂ  ＜  １．２００
【請求項１４】
光軸上における前記レンズ系の最も像側のレンズ面から像面までの距離をＢｆとするとき、以下の条件を満足することを特徴とする請求項１から１３のいずれか１項に記載のレンズ系。
０．６００  ＜  Ｂｆ／ｆ  ＜  １．０００
【請求項１５】
前記第１レンズ群と前記第２レンズ群との光軸上の間隔は常時固定であることを特徴とする請求項１から１４のいずれか１項に記載のレンズ系。
【請求項１６】
請求項１から１５のいずれか１項に記載のレンズ系を有することを特徴とする光学装置。
【発明の詳細な説明】
【技術分野】
【０００１】
本発明は、一眼レフカメラ用交換レンズや複写用レンズなどに好適なレンズ系と、これを有する光学装置に関する。
【背景技術】
【０００２】
従来、一眼レフカメラ用交換レンズや複写用レンズなどに用いられるレンズ系として、所謂ダブルガウス型レンズ系が用いられ、数多く提案されている（例えば、特許文献１参照）。
【特許文献１】特開２００７−３３３７９０号公報
【発明の開示】
【発明が解決しようとする課題】
【０００３】
従来のレンズ系は、コマ収差が大きく、十分に高い光学性能を有しているとは言えなかった。
【課題を解決するための手段】
【０００４】
上記課題を解決するために、本発明は、光軸に沿って物体側から順に、第１レンズ群と正屈折力の第２レンズ群とを有するレンズ系において、前記第１レンズ群は、正屈折力のサブレンズ群と負屈折力のサブレンズ群とから構成され、前記負屈折力のサブレンズ群は、物体側に凸面を向けたメニスカス形状のレンズを有し、前記レンズ系は、以下の条件を満足する少なくとも１枚の負屈折力のレンズを有し、以下の条件を満足することを特徴とするレンズ系を提供する。
ｎＮｈ  ＞  １．８２０
−０．４００  ＜  ｆ／ｆ１  ＜  ０．５００
但し、ｎＮｈは前記負屈折力のレンズのｄ線（波長５８７．６ｎｍ）における屈折率、ｆ１は前記第１レンズ群の焦点距離、ｆは前記レンズ系全系の焦点距離である。
【０００５】
また、本発明は、前記レンズ系を有することを特徴とする光学装置を提供する。
【発明の効果】
【０００６】
本発明によれば、諸収差が良好に補正された高い光学性能を持つレンズ系、及びこれを有する光学装置を提供することができる。
【発明を実施するための最良の形態】
【０００７】
以下、本願の一実施形態に係るレンズ系について説明する。
【０００８】
本実施形態に係るレンズ系は、光軸に沿って物体側から順に、第１レンズ群と正屈折力の第２レンズ群とを有するレンズ系において、第１レンズ群は、正屈折力のサブレンズ群と負屈折力のサブレンズ群とから構成され、負屈折力のサブレンズ群は、物体側に凸面を向けたメニスカス形状のレンズを有する構成とすることで、所謂対称型のダブルガウス型の屈折力配置を実現し、歪曲収差や倍率色収差を良好に補正すると共に、球面収差と像面湾曲を補正している。
【０００９】
また、本実施形態に係るレンズ系は、レンズ系は、以下の条件式（１）を満足する少なくとも１枚の負屈折力のレンズを有し、以下の条件式（１）、（２）を満足する。
（１）  ｎＮｈ  ＞  １．８２０
（２）  −０．４００  ＜  ｆ／ｆ１  ＜  ０．５００
但し、ｎＮｈは前記負屈折力のレンズのｄ線（波長５８７．６ｎｍ）における屈折率、ｆ１は第１レンズ群の焦点距離、ｆはレンズ系全系の焦点距離である。
【００１０】
条件式（１）は、レンズ系で発生する球面収差とサジタルコマ収差を良好に補正し、高い光学性能を得るための条件式である。
【００１１】
条件式（１）の下限値を下回った場合、負レンズによってサジタルコマ収差が大きく発生してしまい、高い光学性能を得ることができない。
【００１２】
なお、実施形態の効果を確実にするために、条件式（１）の下限値を１．８４０にすることが好ましい。また、実施形態の効果を更に確実にするために、条件式（１）の下限値を１．８６０にすることが更に好ましい。また、実施形態の効果を確実にするために、条件式（１）を２．８００より小さくすることが好ましい。条件式（１）を２．８００より小さくすることで、負屈折力のレンズの光学材料の可視光線における透過率を十分に確保でき、レンズ系を構成できる。
【００１３】
条件式（２）は、レンズ系で発生する歪曲収差や倍率色収差を良好に補正し、高い光学性能を得るための条件式である。
【００１４】
条件式（２）の下限値を下回ると、第１レンズ群の屈折力が負に大きくなりすぎる。すると、負の歪曲収差や倍率色収差を補正することが困難となり、高い光学性能を実現できない。
【００１５】
条件式（２）の上限値を上回ると、第１レンズ群で発生する正の歪曲収差を補正することが困難となり、高い光学性能を実現できない。
【００１６】
なお、実施形態の効果を確実にするために、条件式（２）の下限値を−０．２５０にすることが好ましい。また、実施形態の効果を更に確実にするために、条件式（２）の下限値を−０．１００にすることが更に好ましい。また、実施形態の効果を更に確実にするために、条件式（２）の下限値を０．０００にすることが更に好ましい。また、実施形態の効果を更に確実にするために、条件式（２）の下限値を０．１００にすることが更に好ましい。また、実施形態の効果を確実にするために、条件式（２）の上限値を０．４００にすることが好ましい。また、実施形態の効果を更に確実にするために、条件式（２）の上限値を０．３６０にすることが更に好ましい。
【００１７】
また、本実施形態に係るレンズ系は、第１レンズ群は、光軸に沿って物体側から順に、正屈折力のサブレンズ群と負屈折力のサブレンズ群とから構成されていることが望ましい。
【００１８】
この構成により、歪曲収差や倍率色収差をより良好に補正することができる。
【００１９】
また、本実施形態に係るレンズ系は、第１レンズ群と第２レンズ群との間に開口絞りを有することが望ましい。
【００２０】
この構成により、歪曲収差や倍率色収差を良好に補正することができる。
【００２１】
また、本実施形態に係るレンズ系は、正屈折力のサブレンズ群は最も物体側に正屈折力のレンズ成分を有し、該レンズ成分は、物体側の面の曲率半径の絶対値が像側の面の曲率半径の絶対値よりも小さいことが望ましい。
【００２２】
この構成により、画面中心に向かう光線を前記レンズ成分でゆるやかに曲げることが可能となる。その結果、前記レンズ成分で発生する収差、特に球面収差の発生を抑えることができ、高い光学性能を実現できる。
【００２３】
なお、本願におけるレンズ成分とは、単レンズと接合レンズとを含む総称である。
【００２４】
また、本実施形態に係るレンズ系は、正屈折力のサブレンズ群は、正屈折力のレンズ成分のみで構成されることが望ましい。
【００２５】
この構成により、レンズ系におけるレンズ構成枚数を削減し、レンズ表面反射によるフレアを軽減することができ、高い光学性能を実現できる。
【００２６】
また、本実施形態に係るレンズ系は、前記負屈折力のレンズのｄ線のアッベ数をνｄＮとするとき、以下の条件式（３）を満足することが望ましい。
（３）  １２．０  ＜  νｄＮ  ＜  ２４．０
【００２７】
条件式（３）は、色収差を抑えて高い光学性能を得るための条件式である。
【００２８】
条件式（３）の下限値を下回ると、色の球面収差が過剰補正となり、高い光学性能を得ることができない。条件式（３）の上限値を上回ると、色の球面収差が補正不足となり、高い光学性能を得ることができない。
【００２９】
なお、実施形態の効果を確実にするために、条件式（３）の下限値を１６．０にすることが好ましい。また、実施形態の効果を更に確実にするために、条件式（３）の下限値を１８．０にすることが更に好ましい。
【００３０】
また、本実施形態に係るレンズ系は、レンズ系を構成するレンズのうち、最もｄ線の屈折率の高いレンズのｄ線（波長５８７．６ｎｍ）における屈折率をｎｄｈとするとき、以下の条件式（４）を満足することが望ましい。
（４）  ｎｄｈ  ＞  １．９１０
【００３１】
条件式（４）は、レンズ系で発生する球面収差とサジタルコマ収差を良好に補正し、高い光学性能を得るための条件式である。
【００３２】
条件式（４）の下限値を下回った場合、次の２つの場合が考えられる。即ち、最もｄ線の屈折率の高いレンズが正レンズの場合と負レンズの場合である。
【００３３】
前者の場合、レンズ系内で発生する負の球面収差が過大となるため、その補正をレンズ系内の負レンズの曲率を大きく（曲率半径を小さく）することで行うが、そのために負レンズによってサジタルコマ収差が大きく発生してしまう。後者の場合、負レンズによってサジタルコマ収差が大きく発生してしまう。従って、いずれの場合においても、高い光学性能を得ることができない。
【００３４】
なお、実施形態の効果を確実にするために、条件式（４）の下限値を１．９４０にすることが好ましい。また、実施形態の効果を確実にするために、条件式（４）を２．８００より小さくすることが好ましい。条件式（４）を２．８００より小さくすることで、レンズ系中の最も高い屈折率を持つ光学材料の可視光線における透過率を十分に確保でき、レンズ系を構成できる。
【００３５】
また、本実施形態に係るレンズ系は、前記負屈折力のレンズはメニスカス形状であることが望ましい。
【００３６】
この構成により、コマ収差の発生を抑えることができ、高い光学性能を得ることができる。
【００３７】
また、本実施形態に係るレンズ系は、前記負屈折力のレンズは第２レンズ群において最も物体側に配置され、該負屈折力のレンズの物体側の面は物体側に凹面を向けた形状であることが望ましい。
【００３８】
この構成により、コマ収差、特にサジタルコマ収差の発生を抑えることができ、高い光学性能を得ることができる。
【００３９】
また、本実施形態に係るレンズ系は、前記負屈折力のレンズは第１レンズ群において最も像側に配置され、該負屈折力のレンズの像側の面は像側に凹面を向けた形状であることが望ましい。
【００４０】
この構成により、コマ収差、特にサジタルコマ収差の発生を抑えることができ、高い光学性能を得ることができる。
【００４１】
また、本実施形態に係るレンズ系は、第２レンズ群は、物体側の面が物体側に凹面を向けた少なくとも１枚の負屈折力のレンズを有し、該物体側の面が物体側に凹面を向けた少なくとも１枚の負屈折力のレンズの物体側の面の曲率半径をｒ２Ｎａとするとき、以下の条件式（５）を満足することが望ましい。
（５）  ０．３００  ＜  ｜ｒ２Ｎａ｜／ｆ  ＜  ０．６００
【００４２】
条件式（５）は、サジタルコマ収差を抑え高い光学性能を実現するための条件式である。
【００４３】
条件式（５）の下限値を下回ると、物体側の面が物体側に凹面を向けた負屈折力レンズの物体側の面でサジタルコマ収差が大きく発生し、高い光学性能を実現できない。
【００４４】
条件式（５）の上限値を上回ると、第２レンズ群内で発生する負の球面収差を良好に補正できなくなる。また、レンズ系で無限遠から近距離までの合焦や、本実施形態のレンズ系を適用した投影装置あるいは複写機などで拡大倍率を変更した時の収差変動が過剰に大きくなり、無限遠から近距離まであるいは広い拡大倍率の範囲において、高い光学性能を維持できない。
【００４５】
なお、実施形態の効果を確実にするために、条件式（５）の下限値を０．３２０にすることが好ましい。また、実施形態の効果を確実にするために、条件式（５）の上限値を０．５３０にすることが好ましい。
【００４６】
また、本実施形態に係るレンズ系は、前記物体側の面が物体側に凹面を向けた少なくとも１枚の負屈折力のレンズは、第２レンズ群において最も物体側に配置されることが望ましい。
【００４７】
物体側の面が物体側に凹面を向けた少なくとも１枚の負屈折力のレンズを第２レンズ群の最も物体側に配置することで、該負屈折力のレンズによって発生する歪曲収差や倍率色収差を抑えることができ、高い光学性能を得ることができる。
【００４８】
また、本実施形態に係るレンズ系は、第１レンズ群の最も像側のレンズ面の曲率半径をｒ１ｂ、第２レンズ群の最も物体側のレンズ面の曲率半径をｒ２ａとするとき、以下の条件式（６）を満足することが望ましい。
（６）  ０．８００  ＜  ｜ｒ２ａ｜／ｒ１ｂ  ＜  １．２００
【００４９】
条件式（６）は、サジタルコマ収差を抑え高い光学性能を実現するための条件式である。
【００５０】
条件式（６）の下限値を下回ると、即ち第２レンズ群の最も物体側のレンズ面の曲率が、第１レンズ群の最も像側のレンズ面の曲率に比べ過度大きく（曲率半径が小さく）なった場合、第２レンズ群の物体側の面でサジタルコマ収差が大きく発生し高い光学性能を実現できない。
【００５１】
条件式（６）の上限値を上回ると、即ち第１レンズ群の最も像側のレンズ面の曲率が、第２レンズ群の最も物体側のレンズ面の曲率に比べ過度大きく（曲率半径が小さく）なった場合、第１レンズ群の像側の面でサジタルコマ収差が大きく発生し高い光学性能を実現できない。
【００５２】
なお、実施形態の効果を確実にするために、条件式（６）の下限値を０．９００にすることが好ましい。また、実施形態の効果を確実にするために、条件式（６）の上限値を１．１５０にすることが好ましい。また、実施形態の効果を更に確実にするために、条件式（６）の上限値を１．１００にすることが更に好ましい。
【００５３】
また、本実施形態に係るレンズ系は、光軸上におけるレンズ系の最も像側のレンズ面から像面までの距離をＢｆとするとき、以下の条件式（７）を満足することが望ましい。
（７）  ０．６００  ＜  Ｂｆ／ｆ  ＜  １．０００
【００５４】
条件式（７）は、高い光学性能を実現するための条件式である。
【００５５】
条件式（７）の下限値を下回ると、レンズ系の焦点距離に対してバックフォーカスが相対的に短くなりすぎるため、レンズ系の屈折力配置が対称型から大きく離れてしまい、歪曲収差を補正することが困難になるため、高い光学性能を実現できない。
【００５６】
条件式（７）の上限値を上回ると、レンズ系の焦点距離に対してバックフォーカスが相対的に長くなりすぎるため、レンズ系の屈折力配置が対称型から大きく離れてしまい、歪曲収差を補正することが困難になるため、高い光学性能を実現できない。
【００５７】
なお、実施形態の効果を確実にするために、条件式（７）の下限値を０．６５０にすることが好ましい。また、実施形態の効果を更に確実にするために、条件式（７）の下限値を０．７００にすることが更に好ましい。また、実施形態の効果を確実にするために、条件式（７）の上限値を０．８５０にすることが好ましい。また、実施形態の効果を更に確実にするために、条件式（７）の上限値を０．８００にすることが更に好ましい。
【００５８】
なお、最も像側のレンズ面から像面までの間に、平行平面板が入っている場合には、Ｂｆは空気換算長である。
【００５９】
また、本実施形態に係るレンズ系は、第１レンズ群と第２レンズ群との光軸上の間隔は常時固定であることが望ましい。
【００６０】
このような構成とすることで、レンズ系で無限遠から近距離までの合焦や、本実施形態のレンズ系を適用した投影装置あるいは複写機などで拡大倍率の変更時に、第１レンズ群と第２レンズ群をメカニカルに一体で動かすことが可能になり、別体で動かす場合に比べ、第１レンズ群と第２レンズ群との相互偏心による偏心コマ収差の発生が抑えられ、無限遠から近距離までに亘って、あるいは倍率可変範囲に亘って、高い光学性能を実現できる。
【００６１】
なお、レンズ面は、球面または平面で形成されても、非球面で形成されても構わない。
【００６２】
レンズ面が球面または平面の場合、レンズ加工及び組立調整が容易になり、加工及び組立調整の誤差による光学性能の劣化を防げるので好ましい。また、像面がずれた場合でも描写性能の劣化が少ないので好ましい。
【００６３】
レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としても良く、レンズを屈折率分布型レンズ（ＧＲＩＮレンズ）あるいはプラスチックレンズとしても良い。
【００６４】
（実施例）
以下、本実施形態に係る各実施例について図面を参照しつつ説明する。
【００６５】
（第１実施例）
図１は、第１実施例に係るレンズ系の構成を示す断面図である。
【００６６】
第１実施例に係るレンズ系は、光軸に沿って物体側から順に、正屈折力の第１レンズ群Ｇ１と、正屈折力の第２レンズ群Ｇ２とから構成される。第１レンズ群Ｇ１と第２レンズ群Ｇ２との間には開口絞りＳが配置されている。
【００６７】
第１レンズ群Ｇ１は、光軸に沿って物体側から順に、物体側の面が物体側に凸面を向けて像側の面に比べて強い屈折力を持つ正メニスカス形状の第１１１レンズＬ１１１の１枚で構成される正屈折力の第１１サブレンズ群ＧＳ１１と、物体側の面が物体側に凸面を向けて像側の面に比べて強い屈折力を持つ正メニスカス形状の第１２１レンズＬ１２１と像側の面が像側に向かって凹面を向けた負メニスカス形状の第１２ＲレンズＬ１２Ｒから構成される負屈折力の第１２サブレンズ群ＧＳ１２から構成される。
【００６８】
第２レンズ群Ｇ２は、光軸に沿って物体側から順に、物体側の面が物体側に凹面を向けた負メニスカス形状の第２１レンズＬ２１と、第２１レンズＬ２１に接合され物体側の面が物体側に凹面を向け像側の面に比べて弱い屈折力を持つ正メニスカス形状の第２２レンズＬ２２と、像側の面が像面に対して凸面を向けた正メニスカス形状の第２３レンズＬ２３と、最も像面側に配置され物体側の面が像側の面に比べて強い屈折力を持ち両凸形状の第２４レンズＬ２４から構成され、第２４レンズから射出した光線は像面Ｉに結像する。
【００６９】
近距離物体への合焦は、第１レンズ群Ｇ１と第２レンズ群Ｇ２を一体に物体側へ移動することによって行う。
【００７０】
以下の表１に第１実施例に係るレンズ系の諸元値を掲げる。
【００７１】
表中の（面データ）において、物面は物体面、面番号は物体側からのレンズ面の番号、ｒは曲率半径、ｄは面間隔、ｎｄはｄ線（波長５８７．６ｎｍ）における屈折率、νｄはｄ線（波長５８７．６ｎｍ）におけるアッベ数、（絞り）は開口絞りＳ、像面は像面Ｉをそれぞれ表している。なお、空気の屈折率ｎｄ＝１．００００００は記載を省略している。また、曲率半径ｒ欄の「∞」は平面を表している。
【００７２】
（各種データ）において、ｆはレンズ系全体の焦点距離、ＦＮｏはＦナンバー、ωは半画角（単位：度）、Ｙは像高、ＴＬは無限遠合焦状態における第１１１レンズの物体側の面から像面Ｉまでのレンズ全長をそれぞれ表している。
【００７３】
（可変データ）において、Ｒは撮影距離で物体から像面Ｉまでの距離（単位：ｍ）、βは撮影倍率、Ｂｆはバックフォーカスをそれぞれ表している。
【００７４】
（条件式対応値）は、各条件式の対応値をそれぞれ示す。
【００７５】
なお、以下の全ての諸元値において、掲載されている焦点距離ｆ、曲率半径ｒ、面間隔ｄその他の長さ等は、特記の無い場合一般に「ｍｍ」が使われるが、光学系は比例拡大または比例縮小しても同等の光学性能が得られるので、これに限られるものではない。また、単位は「ｍｍ」に限定されることなく他の適当な単位を用いることも出来る。さらに、これらの記号の説明は、以降の他の実施例においても同様とし説明を省略する。
【００７６】
（表１）
（面データ）
面番号        r           d            nd          νd
物面          ∞          ∞
1         61.1028      5.2000      1.834807      42.71 
2        421.6037      0.1000
3         26.6848      4.5000      2.003300      28.27 
4         42.4965      1.8000
5         55.6668      2.0000      1.808090      22.79 
6         18.6474      9.3000
7（絞り）   ∞         7.7000
8        -18.7111      1.8000      1.846660      23.78 
9        -64.8673      6.0000      1.788001      47.37 
10        -29.0381      0.2000
11        -90.5334      5.5000      1.834807      42.71 
12        -33.0755      0.1000
13        114.2530      3.0000      1.772499      49.60 
14       -161.9377       (Bf)
像面          ∞
（各種データ）
f  =  51.61
FNo  =   1.45
ω  =  23.10
Y  =  21.60
TL  =  85.66
（可変データ）
無限遠合焦状態    近距離合焦状態
R           ∞                1.64
β         0.0               -1/30
Bf        38.4641            40.1846
【００７７】
なお、第１実施例に係るレンズ系において、条件式（１）を満足する負屈折力のレンズＬＮは第２１レンズＬ２１であり、負メニスカス形状で、第２レンズ群中の最も物体側に配置され、物体側に対して凹面を向けた形状である。最もｄ線の屈折率の高いレンズは第１２１レンズＬ１２１である。また、第２１レンズＬ２１は、第２ＮレンズＬ２Ｎでもあり、第２レンズ群において最も物体側に配置されている。第２１レンズＬ２１の物体側の面の曲率半径は、ｒ２Ｎａ、ｒ２ａであり、第１２ＲレンズＬ１２Ｒの像側の面の曲率半径は、ｒ１ｂである。
【００７８】
（条件式対応値）
（１）  ｎＮｈ＝１．８４６６６０
（２）  ｆ／ｆ１＝０．３３４６１
（３）  νｄＮ＝２３．７８
（４）  ｎｄｈ＝２．００３３００
（５）  ｜ｒ２Ｎａ｜／ｆ＝０．３６２５３
（６）  ｜ｒ２ａ｜／ｒ１ｂ＝１．００３４２
（７）  Ｂｆ／ｆ＝０．７４５２５
【００７９】
図２は、第１実施例に係るレンズ系の諸収差図を示し、（ａ）は無限遠合焦時（β＝0.0）、（ｂ）は近距離合焦時（β＝-1/30）の諸収差図をそれぞれ示す。
【００８０】
各収差図において、ＦＮＯはＦナンバー、Ａは半画角（単位：度）、ＮＡは開口数、Ｈ０は物体高（単位：「ｍｍ」）をそれぞれ示す。また、ｄはｄ線（波長５８７．６ｎｍ）、ｇはｇ線（波長４３５．８ｎｍ）に対する諸収差、記載のないものはｄ線に対する諸収差をそれぞれ表す。非点収差図において、実線はサジタル像面、破線はメリディオナル像面を示す。コマ収差図は、各半画角又は物体高において、実線はｄ線及びｇ線に対するメリディオナルコマ収差、原点より左側の破線はｄ線に対してメリディオナル方向に発生するサジタルコマ収差、原点より右側の破線はｄ線に対してサジタル方向に発生するサジタルコマ収差を表している。
【００８１】
なお、以降の実施例においても同様の記号を使用し、以降の説明を省略する。
【００８２】
各収差図から、第１実施例に係るレンズ系は、諸収差が良好に補正され、高い光学性能を有していることがわかる。
【００８３】
（第２実施例）
図３は、第２実施例に係るレンズ系の構成を示す断面図である。
【００８４】
第２実施例に係るレンズ系は、光軸に沿って物体側から順に、正屈折力の第１レンズ群Ｇ１と、正屈折力の第２レンズ群Ｇ２とから構成される。第１レンズ群Ｇ１と第２レンズ群Ｇ２との間には開口絞りＳが配置されている。
【００８５】
第１レンズ群Ｇ１は、光軸に沿って物体側から順に、物体側の面が物体側に凸面を向けて像側の面に比べて強い屈折力を持つ正メニスカス形状の第１１１レンズＬ１１１の１枚で構成される正屈折力の第１１サブレンズ群ＧＳ１１と、物体側の面が物体側に凸面を向けて像側の面に比べて強い屈折力を持つ正メニスカス形状の第１２１レンズＬ１２１と像側の面が像側に向かって凹面を向けた負メニスカス形状の第１２ＲレンズＬ１２Ｒから構成される負屈折力の第１２サブレンズ群ＧＳ１２から構成される。
【００８６】
第２レンズ群Ｇ２は、光軸に沿って物体側から順に、物体側の面が物体側に凹面を向けた負メニスカス形状の第２１レンズＬ２１と、第２１レンズＬ２１に接合され物体側の面が物体側に凹面を向け像側の面に比べて弱い屈折力を持つ正メニスカス形状の第２２レンズＬ２２と、像側の面が像面に対して凸面を向けた正メニスカス形状の第２３レンズＬ２３と、最も像面側に配置され物体側の面が像側の面に比べて強い屈折力を持ち両凸形状の第２４レンズＬ２４から構成され、第２４レンズから射出した光線は像面Ｉに結像する。
【００８７】
近距離物体への合焦は、第１レンズ群Ｇ１と第２レンズ群Ｇ２を一体に物体側へ移動することによって行う。
【００８８】
以下の表２に第２実施例に係るレンズ系の諸元値を掲げる。
【００８９】
（表２）
（面データ）
面番号        r           d            nd          νd
物面          ∞          ∞
1         52.2387      6.0000      1.834807      42.71 
2        565.2751      0.1000
3         28.1185      4.4000      2.000690      25.46 
4         45.6886      1.5000
5         78.8809      2.0000      1.860740      23.06 
6         19.8082      9.3000
7（絞り）   ∞         7.7000
8        -19.2024      1.8000      1.805181      25.42 
9       -125.5269      6.0000      1.788001      47.37 
10        -29.9331      0.2000
11        -92.9638      5.5000      1.834807      42.71 
12        -33.8967      0.1000 
13        112.4183      3.3000      1.772499      49.60 
14       -161.9377       (Bf)
像面          ∞
（各種データ）
f  =  51.61
FNo  =   1.45
ω  =  23.07
Y  =  21.60
TL  =  86.39
（可変データ）
無限遠合焦状態    近距離合焦状態
R           ∞                1.64
β         0.0               -1/30
Bf        38.4874            40.2076 
【００９０】
なお、第２実施例に係るレンズ系において、条件式（１）を満足する負屈折力のレンズＬＮは第１２ＲレンズＬ１２Ｒであり、負メニスカス形状で、第１レンズ群中の最も像側に配置され、像側に対して凹面を向けた形状である。最もｄ線の屈折率の高いレンズは第１２１レンズＬ１２１である。また、第２１レンズＬ２１は、第２ＮレンズＬ２Ｎであり、第２レンズ群において最も物体側に配置されている。第２１レンズＬ２１の物体側の面の曲率半径は、ｒ２Ｎａ、ｒ２ａであり、第１２ＲレンズＬ１２Ｒの像側の面の曲率半径は、ｒ１ｂである。
【００９１】
（条件式対応値）
（１）  ｎＮｈ＝１．８６０７４０
（２）  ｆ／ｆ１＝０．２９７９４
（３）  νｄＮ＝２３．０６
（４）  ｎｄｈ＝２．０００６９０
（５）  ｜ｒ２Ｎａ｜／ｆ＝０．３７２０９
（６）  ｜ｒ２ａ｜／ｒ１ｂ＝０．９６９４１
（７）  Ｂｆ／ｆ＝０．７４５７９
【００９２】
図４は、第２実施例に係るレンズ系の諸収差図を示し、（ａ）は無限遠合焦時（β＝0.0）、（ｂ）は近距離合焦時（β＝-1/30）の諸収差図をそれぞれ示す。
【００９３】
各収差図から、第２実施例に係るレンズ系は、諸収差が良好に補正され、高い光学性能を有していることがわかる。
【００９４】
（第３実施例）
図５は、第３実施例に係るレンズ系の構成を示す断面図である。
【００９５】
第３実施例に係るレンズ系は、光軸に沿って物体側から順に、正屈折力の第１レンズ群Ｇ１と、正屈折力の第２レンズ群Ｇ２とから構成される。第１レンズ群Ｇ１と第２レンズ群Ｇ２との間には開口絞りＳが配置されている。
【００９６】
第１レンズ群Ｇ１は、光軸に沿って物体側から順に、物体側の面が物体側に凸面を向けて像側の面に比べて強い屈折力を持つ正メニスカス形状の第１１１レンズＬ１１１の１枚で構成される正屈折力の第１１サブレンズ群ＧＳ１１と、物体側の面が物体側に凸面を向けて像側の面に比べて強い屈折力を持つ正メニスカス形状の第１２１レンズＬ１２１と像側の面が像側に向かって凹面を向けた負メニスカス形状の第１２ＲレンズＬ１２Ｒから構成される負屈折力の第１２サブレンズ群ＧＳ１２から構成される。
【００９７】
第２レンズ群Ｇ２は、光軸に沿って物体側から順に、物体側の面が物体側に凹面を向けた負メニスカス形状の第２１レンズＬ２１と、第２１レンズＬ２１に接合され物体側の面が物体側に凹面を向け像側の面に比べて弱い屈折力を持つ正メニスカス形状の第２２レンズＬ２２と、像側の面が像面に対して凸面を向けた正メニスカス形状の第２３レンズＬ２３と、最も像面側に配置され物体側の面が像側の面に比べて強い屈折力を持ち両凸形状の第２４レンズＬ２４から構成され、第２４レンズから射出した光線は像面Ｉに結像する。
【００９８】
近距離物体への合焦は、第１レンズ群Ｇ１と第２レンズ群Ｇ２を一体に物体側へ移動することによって行う。
【００９９】
以下の表３に第３実施例に係るレンズ系の諸元値を掲げる。
【０１００】
（表３）
（面データ）
面番号        r           d            nd          νd
物面          ∞          ∞
1         61.1431      4.8000      1.882997      40.76 
2        389.5756      0.3000 
3         26.8932      4.5000      2.000690      25.46 
4         44.9000      2.2000 
5         57.4287      2.0000      1.922860      20.50 
6         19.2263      8.0000 
7（絞り）   ∞         7.8000 
8        -18.6558      1.8000      1.805181      25.42 
9       -114.6796      6.0000      1.788001      47.37 
10        -30.1134      0.3000 
11       -114.9741      6.0000      1.834807      42.71 
12        -34.5098      0.1000 
13        126.4714      3.2000      1.804000      46.57 
14       -161.9377       (Bf)
像面          ∞
（各種データ）
f  =  51.61
FNo  =   1.45
ω  =  23.14
Y  =  21.60
TL  =  85.48
（可変データ）
無限遠合焦状態    近距離合焦状態
R           ∞                1.64
β         0.0               -1/30
Bf        38.4783            40.1986
【０１０１】
なお、第３実施例に係るレンズ系において、条件式（１）を満足する負屈折力のレンズＬＮは第１２ＲレンズＬ１２Ｒであり、負メニスカス形状で、第１レンズ群中の最も像側に配置され、像側に対して凹面を向けた形状である。最もｄ線の屈折率の高いレンズは第１２１レンズＬ１２１である。また、第２１レンズＬ２１は、第２ＮレンズＬ２Ｎであり、第２レンズ群において最も物体側に配置されている。第２１レンズＬ２１の物体側の面の曲率半径は、ｒ２Ｎａ、ｒ２ａであり、第１２ＲレンズＬ１２Ｒの像側の面の曲率半径は、ｒ１ｂである。
【０１０２】
（条件式対応値）
（１）  ｎＮｈ＝１．９２２８６０
（２）  ｆ／ｆ１＝０．３０４６５
（３）  νｄＮ＝２０．５０
（４）  ｎｄｈ＝２．０００６９０
（５）  ｜ｒ２Ｎａ｜／ｆ＝０．３６１４９
（６）  ｜ｒ２ａ｜／ｒ１ｂ＝０．９７０３３
（７）  Ｂｆ／ｆ＝０．７４５５８
【０１０３】
図６は、第３実施例に係るレンズ系の諸収差図を示し、（ａ）は無限遠合焦時（β＝0.0）、（ｂ）は近距離合焦時（β＝-1/30）の諸収差図をそれぞれ示す。
【０１０４】
各収差図から、第３実施例に係るレンズ系は、諸収差が良好に補正され、高い光学性能を有していることがわかる。
【０１０５】
（第４実施例）
図７は、第４実施例に係るレンズ系の構成を示す断面図である。
【０１０６】
第４実施例に係るレンズ系は、光軸に沿って物体側から順に、正屈折力の第１レンズ群Ｇ１と、正屈折力の第２レンズ群Ｇ２とから構成される。第１レンズ群Ｇ１と第２レンズ群Ｇ２との間には開口絞りＳが配置されている。
【０１０７】
第１レンズ群Ｇ１は、光軸に沿って物体側から順に、物体側の面が物体側に凸面を向けて像側の面に比べて強い屈折力を持つ正メニスカス形状の第１１１レンズＬ１１１の１枚で構成される正屈折力の第１１サブレンズ群ＧＳ１１と、物体側の面が物体側に凸面を向けて像側の面に比べて強い屈折力を持つ正メニスカス形状の第１２１レンズＬ１２１と像側の面が像側に向かって凹面を向けた負メニスカス形状の第１２ＲレンズＬ１２Ｒから構成される負屈折力の第１２サブレンズ群ＧＳ１２から構成される。
【０１０８】
第２レンズ群Ｇ２は、光軸に沿って物体側から順に、物体側の面が像側の面に比べて強い屈折力を持つ両凹形状の第２１レンズＬ２１と、第２１レンズＬ２１に接合され物体側の面が像側の面に比べて弱い屈折力を持つ両凸形状の第２２レンズＬ２２と、像側の面が像面に対して凸面を向けた正メニスカス形状の第２３レンズＬ２３と、像側の面が像面に対して凸面を向けた正メニスカス形状の第２４レンズＬ２４と、最も像面側に配置され物体側の面が像側の面に比べて強い屈折力を持ち両凸形状の第２５レンズＬ２５から構成され、第２５レンズから射出した光線は像面Ｉに結像する。
【０１０９】
近距離物体への合焦は、第１レンズ群Ｇ１と第２レンズ群Ｇ２を一体に物体側へ移動することによって行う。
【０１１０】
以下の表４に第４実施例に係るレンズ系の諸元値を掲げる。
【０１１１】
（表４）
（面データ）
面番号        r           d            nd          νd
物面          ∞          ∞
1         57.5740      5.5000      1.903660      31.31 
2        206.0906      0.2000
3         29.5832      6.0000      2.003300      28.27 
4         38.8499      2.0000
5         41.1771      2.0000      1.922860      18.90 
6         19.7787      9.5000
7（絞り）   ∞         9.2000
8        -19.4166      2.0000      1.805181      25.42 
9       3374.4434      7.0000      1.804000      46.57 
10        -36.6779      0.2000
11        -56.5118      4.0000      1.882997      40.76 
12        -42.4595      0.1000
13       -143.9382      5.0000      1.834807      42.71 
14        -44.3487      0.3000
15        103.1998      4.0000      1.754999      52.32 
16       -161.9377       (Bf)
像面          ∞
（各種データ）
f  =  51.63
FNo  =   1.25
ω  =  23.33
Y  =  21.60
TL  =  94.94
（可変データ）
無限遠合焦状態    近距離合焦状態
R           ∞                1.64
β         0.0               -1/30
Bf        37.9374            39.6583
【０１１２】
なお、第４実施例に係るレンズ系において、条件式（１）を満足する負屈折力のレンズＬＮは第１２ＲレンズＬ１２Ｒであり、負メニスカス形状で、第１レンズ群中の最も像側に配置され、像側に対して凹面を向けた形状である。最もｄ線の屈折率の高いレンズは第１２１レンズＬ１２１である。また、第２１レンズＬ２１は、第２ＮレンズＬ２Ｎであり、第２レンズ群において最も物体側に配置されている。第２１レンズＬ２１の物体側の面の曲率半径は、ｒ２Ｎａ、ｒ２ａであり、第１２ＲレンズＬ１２Ｒの像側の面の曲率半径は、ｒ１ｂである。
【０１１３】
（条件式対応値）
（１）  ｎＮｈ＝１．９２２８６０
（２）  ｆ／ｆ１＝０．２９５７６
（３）  νｄＮ＝１８．９０
（４）  ｎｄｈ＝２．００３３００
（５）  ｜ｒ２Ｎａ｜／ｆ＝０．３７６０８
（６）  ｜ｒ２ａ｜／ｒ１ｂ＝０．９８１６９
（７）  Ｂｆ／ｆ＝０．７３４８１
【０１１４】
図８は、第４実施例に係るレンズ系の諸収差図を示し、（ａ）は無限遠合焦時（β＝0.0）、（ｂ）は近距離合焦時（β＝-1/30）の諸収差図をそれぞれ示す。
【０１１５】
各収差図から、第４実施例に係るレンズ系は、諸収差が良好に補正され、高い光学性能を有していることがわかる。
【０１１６】
（第５実施例）
図９は、第５実施例に係るレンズ系の構成を示す断面図である。
【０１１７】
第５実施例に係るレンズ系は、光軸に沿って物体側から順に、正屈折力の第１レンズ群Ｇ１と、正屈折力の第２レンズ群Ｇ２とから構成される。第１レンズ群Ｇ１と第２レンズ群Ｇ２との間には開口絞りＳが配置されている。
【０１１８】
第１レンズ群Ｇ１は、光軸に沿って物体側から順に、物体側の面が物体側に凸面を向けて像側の面に比べて強い屈折力を持つ正メニスカス形状の第１１１レンズＬ１１１の１枚で構成される正屈折力の第１１サブレンズ群ＧＳ１１と、物体側の面が物体側に凸面を向けて像側の面に比べて強い屈折力を持つ正メニスカス形状の第１２１レンズＬ１２１と像側の面が像側に向かって凹面を向けた負メニスカス形状の第１２ＲレンズＬ１２Ｒから構成される負屈折力の第１２サブレンズ群ＧＳ１２から構成される。
【０１１９】
第２レンズ群Ｇ２は、光軸に沿って物体側から順に、物体側の面が物体側に凹面を向けた負メニスカス形状の第２１レンズＬ２１と、第２１レンズＬ２１に接合され物体側の面が物体側に凹面を向け像側の面に比べて弱い屈折力を持つ正メニスカス形状の第２２レンズＬ２２と、像側の面が像面に対して凸面を向けた正メニスカス形状の第２３レンズＬ２３と、像側の面の曲率半径が物体側の面に比べて小さい正屈折力の第２４レンズＬ２４と、第２４レンズＬ２４に接合され物体側に凹面を向けた負メニスカス形状の第２５レンズＬ２５から構成され、第２５レンズから射出した光線は像面Ｉに結像する。
【０１２０】
近距離物体への合焦は、第１レンズ群Ｇ１と第２レンズ群Ｇ２を一体に物体側へ移動することによって行う。
【０１２１】
以下の表５に第５実施例に係るレンズ系の諸元値を掲げる。
【０１２２】
（表５）
（面データ）
面番号        r           d            nd          νd
物面          ∞          ∞
1         62.5707      4.6000      1.834807      42.71 
2       1079.5273      0.1000
3         27.8402      4.5000      1.903660      31.31 
4         48.9187      2.0000
5         83.6288      1.6000      1.805181      25.42 
6         20.6020      9.5000
7（絞り）   ∞         7.7000 
8        -19.6349      1.8000      1.846660      23.78 
9        -36.0084      6.0000      1.754999      52.32 
10        -28.9194      0.2000
11       -100.0147      4.5000      1.834807      42.71 
12        -35.2169      0.1000
13        140.8843      5.0000      2.003300      28.27 
14        -49.8565      1.5000      1.922860      18.90 
15       -391.9566       (Bf)
像面          ∞
（各種データ）
f  =  51.61
FNo  =   1.45
ω  =  23.13
Y  =  21.60
TL  =  87.36
（可変データ）
無限遠合焦状態    近距離合焦状態
R           ∞                1.65
β         0.0               -1/30
Bf        38.2645            39.9850
【０１２３】
なお、第５実施例に係るレンズ系において、条件式（１）を満足する負屈折力のレンズＬＮは第２１レンズＬ２１及び第２５レンズＬ２５であり、負メニスカス形状で、第２１レンズＬ２１は第２レンズ群中の最も物体側に配置され物体側に対して凹面を向けた形状である。最もｄ線の屈折率の高いレンズは第２４レンズＬ２４である。また、第２１レンズＬ２１は、第２ＮレンズＬ２Ｎでもあり、第２レンズ群において最も物体側に配置されている。第２１レンズＬ２１の物体側の面の曲率半径は、ｒ２Ｎａ、ｒ２ａであり、第１２ＲレンズＬ１２Ｒの像側の面の曲率半径は、ｒ１ｂである。
【０１２４】
（条件式対応値）
（１）  ｎＮｈ＝１．８４６６６０（第２１レンズＬ２１）
（１）  ｎＮｈ＝１．９２２８６０（第２５レンズＬ２５）
（２）  ｆ／ｆ１＝０．２８５３６
（３）  νｄＮ＝２３．７８（第２１レンズＬ２１）
（３）  νｄＮ＝１８．９０（第２５レンズＬ２５）
（４）  ｎｄｈ＝２．００３３００
（５）  ｜ｒ２Ｎａ｜／ｆ＝０．３８０４１（第２１レンズＬ２１）
（６）  ｜ｒ２ａ｜／ｒ１ｂ＝０．９５３０６
（７）  Ｂｆ／ｆ＝０．７４１３５
【０１２５】
図１０は、第５実施例に係るレンズ系の諸収差図を示し、（ａ）は無限遠合焦時（β＝0.0）、（ｂ）は近距離合焦時（β＝-1/30）の諸収差図をそれぞれ示す。
【０１２６】
各収差図から、第５実施例に係るレンズ系は、諸収差が良好に補正され、高い光学性能を有していることがわかる。
【０１２７】
（第６実施例）
図１１は、第６実施例に係るレンズ系の構成を示す断面図である。
【０１２８】
第６実施例に係るレンズ系は、光軸に沿って物体側から順に、負屈折力の第１レンズ群Ｇ１と、正屈折力の第２レンズ群Ｇ２とから構成される。第１レンズ群Ｇ１と第２レンズ群Ｇ２との間には開口絞りＳが配置されている。
【０１２９】
第１レンズ群Ｇ１は、光軸に沿って物体側から順に、物体側の面が物体側に凸面を向けて像側の面に比べて強い屈折力を持つ正メニスカス形状の第１１１レンズＬ１１１の１枚で構成される正屈折力の第１１サブレンズ群ＧＳ１１と、物体側の面が物体側に凸面を向けた負メニスカス形状の第１２１レンズＬ１２１と像側の面が像側に向かって凹面を向けた正メニスカス形状の第１２ＲレンズＬ１２Ｒから構成される負屈折力の第１２サブレンズ群ＧＳ１２から構成される。
【０１３０】
第２レンズ群Ｇ２は、光軸に沿って物体側から順に、物体側の面が物体側に凹面を向けた負メニスカス形状の第２１レンズＬ２１と、第２１レンズＬ２１に接合され物体側の面が物体側に凹面を向け像側の面に比べて弱い屈折力を持つ正メニスカス形状の第２２レンズＬ２２と、像側の面が像面に対して凸面を向けた正メニスカス形状の第２３レンズＬ２３と、最も像面側に配置され像側の面が物体側の面に比べて強い屈折力を持ち両凸形状の第２４レンズＬ２４から構成され、第２４レンズから射出した光線は像面Ｉに結像する。
【０１３１】
近距離物体への合焦は、第１レンズ群Ｇ１と第２レンズ群Ｇ２を一体に物体側へ移動することによって行う。
【０１３２】
なお、本実施例において、第１１１レンズ成分は、単レンズで構成されているが、接合レンズで構成しても構わない。その場合には、球面収差、軸上色収差を良好に補正できるので好ましい。
【０１３３】
以下の表６に第６実施例に係るレンズ系の諸元値を掲げる。
【０１３４】
（表６）
（面データ）
面番号        r           d            nd          νd
物面          ∞          ∞
1         51.0799      4.0000      1.799516      42.22 
2        153.5021      1.0000 
3         25.0934      2.0000      1.834807      42.71 
4         16.6855      7.0000 
5         17.7942      2.5000      2.019600      21.45 
6         17.4360      8.0000 
7（絞り）   ∞         9.0000 
8        -20.1623      1.5000      1.860740      23.06 
9       -141.0470      8.0000      1.754999      52.32 
10        -24.1458      1.0000 
11        -82.3047      4.5000      1.834807      42.71 
12        -39.2143      0.5000 
13        187.0181      3.5000      1.804000      46.57 
14       -161.9377       (Bf)
像面          ∞
（各種データ）
f  =  51.60
FNo  =   2.10
ω  =  25.28
Y  =  24.00
TL  = 108.47
（可変データ）
無限遠合焦状態    近距離合焦状態
R           ∞                1.66
β         0.0               -1/30
Bf        55.9690            57.6889
【０１３５】
なお、第６実施例に係るレンズ系において、条件式（１）を満足する負屈折力のレンズＬＮは第１２１レンズＬ１２１及び第２１レンズＬ２１であり、負メニスカス形状で、第２１レンズＬ２１は第２レンズ群Ｇ２中の最も物体側に配置され物体側に対して凹面を向けた形状である。最もｄ線の屈折率の高いレンズは第１２ＲレンズＬ１２Ｒである。第２１レンズＬ２１は物体側の面が物体側に凹面を向けた負屈折力の第２ＮレンズＬ２Ｎでもある。第２１レンズＬ２１の物体側の面の曲率半径は、ｒ２Ｎａ、ｒ２ａであり、第１２ＲレンズＬ１２Ｒの像側の面の曲率半径は、ｒ１ｂである。
【０１３６】
（条件式対応値）
（１）  ｎＮｈ＝１．８３４８０７（第１２１レンズＬ１２１）
（１）  ｎＮｈ＝１．８６０７４０（第２１レンズＬ２１）
（２）  ｆ／ｆ１＝−０．０２７１５
（３）  νｄＮ＝２３．０６（第２１レンズＬ２１）
（４）  ｎｄｈ＝２．０１９６００
（５）  ｜ｒ２Ｎａ｜／ｆ＝０．３９０７３
（６）  ｜ｒ２ａ｜／ｒ１ｂ＝１．１５６３６
【０１３７】
図１２は、第６実施例に係るレンズ系の諸収差図を示し、（ａ）は無限遠合焦時（β＝0.0）、（ｂ）は近距離合焦時（β＝-1/30）の諸収差図をそれぞれ示す。
【０１３８】
各収差図から、第６実施例に係るレンズ系は、諸収差が良好に補正され、高い光学性能を有していることがわかる。
【０１３９】
以上のように、本実施形態によれば、大口径比を有し、諸収差が良好に補正された高い光学性能を持つレンズ系を提供することができる。
【０１４０】
次に、本実施形態に係るレンズ系を搭載した光学装置であるカメラについて説明する。なお、第１実施例に係るレンズ系を搭載した場合について説明するが、他の実施例でも同様である。
【０１４１】
図１３は、第１実施例に係るレンズ系を備えたカメラの構成を示す図である。
【０１４２】
図１３において、カメラ１は、撮影レンズ２として第１実施例に係るレンズ系を備えたデジタル一眼レフカメラである。カメラ１において、不図示の物体（被写体）からの光は、撮影レンズ２で集光されて、クイックリターンミラー３を介して焦点板４に結像される。そして焦点板４に結像されたこの光は、ペンタプリズム５中で複数回反射されて接眼レンズ６へ導かれる。これにより撮影者は、被写体像を接眼レンズ６を介して正立像として観察することができる。
【０１４３】
また、撮影者によって不図示のレリーズボタンが押されると、クイックリターンミラー３が光路外へ退避し、さらにフォーカルプレーンシャッター８も光路外へ退避して不図示の被写体からの光は撮像素子７へ到達する。これにより被写体からの光は、撮像素子７によって撮像されて、被写体画像として不図示のメモリに記録される。このようにして、撮影者はカメラ１による被写体の撮影を行うことができる。
【０１４４】
カメラ１に撮影レンズ２として第１実施例に係るレンズ系を搭載することにより、高い性能を有するカメラを実現することができる。
【０１４５】
なお、以下に記載の内容は、光学性能を損なわない範囲で適宜採用可能である。
【０１４６】
実施例では、２群構成を示したが、３群、４群等の他の群構成にも適用可能である。具体的には、最も物体側に正または負のレンズ群を追加した構成や、最も像側に正または負のレンズ群を追加した構成や、第１レンズ群と第２レンズ群との間に正または負のレンズ群を追加した構成が挙げられる。
【０１４７】
単独または複数のレンズ群、または部分レンズ群を光軸方向に移動させて、無限遠物体から近距離物体への合焦を行う合焦レンズ群としても良い。前記合焦レンズ群はオートフォーカスにも適用でき、オートフォーカス用の(超音波モーター等を用いた)モーター駆動にも適している。特に、第１レンズ群または第２レンズ群の少なくとも一部のレンズ群を合焦レンズ群とするのが好ましい。
【０１４８】
また、レンズ群または部分レンズ群を光軸に垂直な方向に移動させて、手ぶれによって生じる像ぶれを補正する防振レンズ群としても良い。特に、第１レンズ群または第２レンズ群の少なくとも一部のレンズ群を防振レンズ群とするのが好ましい。
【０１４９】
また、開口絞りは第１レンズ群と第２レンズ群との間に配置されるのが好ましいが、開口絞りとしての部材は設けずに、レンズ枠でその役割を代用しても良い。
【０１５０】
また、各レンズ面には、フレアやゴーストを軽減し高いコントラストの高い光学性能を達成するために、広い波長域で高い透過率を有する反射防止膜が施しても良い。
【０１５１】
なお、本発明を分かり易く説明するために実施形態の構成要件を付して説明したが、本発明がこれに限定されるものでないことは言うまでもない。
【図面の簡単な説明】
【０１５２】
【図１】第１実施例に係るレンズ系の構成を示す断面図である。
【図２】第１実施例に係るレンズ系の諸収差図を示し、（ａ）は無限遠合焦時（β＝0.0）、（ｂ）は近距離合焦時（β＝-1/30）の諸収差図をそれぞれ示す。
【図３】第２実施例に係るレンズ系の構成を示す断面図である。
【図４】第２実施例に係るレンズ系の諸収差図を示し、（ａ）は無限遠合焦時（β＝0.0）、（ｂ）は近距離合焦時（β＝-1/30）の諸収差図をそれぞれ示す。
【図５】第３実施例に係るレンズ系の構成を示す断面図である。
【図６】第３実施例に係るレンズ系の諸収差図を示し、（ａ）は無限遠合焦時（β＝0.0）、（ｂ）は近距離合焦時（β＝-1/30）の諸収差図をそれぞれ示す。
【図７】第４実施例に係るレンズ系の構成を示す断面図である。
【図８】第４実施例に係るレンズ系の諸収差図を示し、（ａ）は無限遠合焦時（β＝0.0）、（ｂ）は近距離合焦時（β＝-1/30）の諸収差図をそれぞれ示す。
【図９】第５実施例に係るレンズ系の構成を示す断面図である。
【図１０】第５実施例に係るレンズ系の諸収差図を示し、（ａ）は無限遠合焦時（β＝0.0）、（ｂ）は近距離合焦時（β＝-1/30）の諸収差図をそれぞれ示す。
【図１１】第６実施例に係るレンズ系の構成を示す断面図である。
【図１２】第６実施例に係るレンズ系の諸収差図を示し、（ａ）は無限遠合焦時（β＝0.0）、（ｂ）は近距離合焦時（β＝-1/30）の諸収差図をそれぞれ示す。
【図１３】第１実施例に係るレンズ系を備えたカメラの構成を示す図である。
【符号の説明】
【０１５３】
Ｇ１        第１レンズ群
Ｇ２        第２レンズ群
ＧＳ１１    第１１サブレンズ群
ＧＳ１２    第１２サブレンズ群
Ｌ１１１    第１１１レンズ
Ｌ１２１    第１２１レンズ
Ｌ１２Ｒ    第１２Ｒレンズ
Ｌ２１      第２１レンズ
Ｌ２２      第２２レンズ
Ｌ２３      第２３レンズ
Ｌ２４      第２４レンズ
Ｌ２５      第２５レンズ
Ｌ２６      第２６レンズ
Ｓ          開口絞り
Ｉ          像面
１          カメラ
【図１】
2010014897.tif 000003
【図２】
2010014897.tif 000004
【図３】
2010014897.tif 000005
【図４】
2010014897.tif 000006
【図５】
2010014897.tif 000007
【図６】
2010014897.tif 000008
【図７】
2010014897.tif 000009
【図８】
2010014897.tif 000010
【図９】
2010014897.tif 000011
【図１０】
2010014897.tif 000012
【図１１】
2010014897.tif 000013
【図１２】
2010014897.tif 000014
【図１３】
2010014897.tif 000015